(57)【要約】      （修正有）【課題】２００Ｖの電源を確保し難い工事現場等であっても、電圧が１００Ｖの小型の水中ポンプを上下方向に連結して揚程が１０ｍ以上の高い揚程が得られるようにした水中ポンプ用連結アダプター及びこれを用いた水中ポンプ装置を提供する。【解決手段】複数台の水中ポンプ３を上下方向に所定の間隔を隔てて直列状に連結する水中ポンプ用連結アダプター１であって、この水中ポンプ用連結アダプター１は、水中ポンプ３が支持載置される支持フレーム５と、支持フレーム５に設けられ、下流側端部が支持フレーム５上に支持載置された水中ポンプ３の吸引口１９ａに接続される吸込管６と、吸込管６の上流側端部に設けられ、支持フレーム５の下方位置に配置される他の水中ポンプ３の吐出口側に接続される継手部材７と、を少なくとも備えている。【選択図】図２
0003219306.tif 000002
【実用新案登録請求の範囲】
【請求項１】
複数台の水中ポンプを上下方向に所定の間隔を隔てて直列状に連結するのに用いる水中ポンプ用連結アダプターであって、前記水中ポンプ用連結アダプターは、水中ポンプが支持載置される支持フレームと、支持フレームに設けられ、下流側端部が支持フレーム上に支持載置された水中ポンプの吸引口に接続される吸込管と、吸込管の上流側端部に設けられ、支持フレームの下方位置に配置される他の水中ポンプの吐出口側に接続される継手部材と、を少なくとも備えていることを特徴とする水中ポンプ用連結アダプター。
【請求項２】
前記吸込管に、吸込管内に侵入した空気を外部に排出する空気抜き弁を設けたことを特徴とする請求項１に記載の水中ポンプ用連結アダプター。
【請求項３】
前記吸込管に、吸込管内の渇水状態を検知して支持フレーム上の水中ポンプの運転を停止する渇水センサーを設けたことを特徴とする請求項１又は請求項２に記載の水中ポンプ用連結アダプター。
【請求項４】
前記吸込管は、少なくともチーズ管を備え、当該チーズ管は、対向する二つの開口が上下に位置する状態で支持フレームの中心部側に設けられており、上側の開口端部に水中ポンプの吸引口が接続され、下側の開口端部に継手部材が接続され、残りの開口端部に止水用プラグが螺着されていることを特徴とする請求項１〜請求項３の何れかに記載の水中ポンプ用連結アダプター。
【請求項５】
前記チーズ管の止水用プラグに至る部分に、空気弁及び渇水センサーをそれぞれ設けたことを特徴とする請求項４に記載の水中ポンプ用連結アダプター。
【請求項６】
前記継手部材をレバーカップリングの雄アダプターとしたことを特徴とする請求項１又は請求項４に記載の水中ポンプ用連結アダプター。
【請求項７】
請求項１に記載の水中ポンプ用連結アダプターと、水中ポンプ用連結アダプターの支持フレーム上に支持載置され、吸引口が水中ポンプ用連結アダプターの吸込管の下流側端部に接続された上位の水中ポンプと、水中ポンプ用連結アダプターの継手部材に接続された筒状のセンターカップリングと、支持フレームの下方位置に配置され、吐出口側が筒状のセンターカップリングに接続された下位の水中ポンプと、を少なくとも備えていることを特徴とする水中ポンプ装置。
【請求項８】
前記筒状のセンターカップリングに、筒状のセンターカップリング内に侵入した空気を外部に排出する空気抜き弁を設けたことを特徴とする請求項７に記載の水中ポンプ装置。
【請求項９】
前記筒状のセンターカップリングに、筒状のセンターカップリング内の渇水状態を検知して支持フレーム上の水中ポンプの運転を停止する渇水センサーを設けたことを特徴とする請求項７又は請求項８に記載の水中ポンプ装置。
【請求項１０】
前記筒状のセンターカップリングは、水中ポンプ用連結アダプターの継手部材に着脱自在に接続される継手部材を備えていることを特徴とする請求項７〜請求項９の何れかに記載の水中ポンプ装置。
【請求項１１】
前記筒状のセンターカップリングの継手部材をレバーカップリングの雌カプラーとしたことを特徴とする請求項１０に記載の水中ポンプ装置。
【請求項１２】
前記筒状のセンターカップリングの下流側端部は、重心がずれないように水中ポンプ用連結アダプターの中心側に折り曲げ形成されていることを特徴とする請求項７〜請求項１１の何れかに記載の水中ポンプ装置。
【請求項１３】
請求項２〜請求項６の何れかに記載の水中ポンプ用連結アダプターと、水中ポンプ用連結アダプターの支持フレーム上に支持載置され、吸引口が水中ポンプ用連結アダプターの吸込管の下流側端部に接続された上位の水中ポンプと、水中ポンプ用連結アダプターの継手部材に接続された筒状のセンターカップリングと、支持フレームの下方位置に配置され、吐出口側が筒状のセンターカップリングに接続された下位の水中ポンプと、を少なくとも備えていることを特徴とする水中ポンプ装置。
【請求項１４】
前記筒状のセンターカップリングは、水中ポンプ用連結アダプターの継手部材に着脱自在に接続される継手部材を備えていることを特徴とする請求項１３に記載の水中ポンプ装置。
【請求項１５】
前記筒状のセンターカップリングの継手部材をレバーカップリングの雌カプラーとしたことを特徴とする請求項１４に記載の水中ポンプ装置。
【請求項１６】
前記筒状のセンターカップリングの下流側端部は、重心がずれないように水中ポンプ用連結アダプターの中心側に折り曲げ形成されていることを特徴とする請求項１３〜請求項１５の何れかに記載の水中ポンプ装置。
【考案の詳細な説明】
【技術分野】
【０００１】
本考案は、主に土木工事や建設工事の排水作業、農業や工業の給排水作業、洪水時の排水作業等に用いる水中ポンプを上下方向に所定の間隔を隔てて直列状に連結し、小型の水中ポンプであっても高い揚程が得られるようにした水中ポンプ用連結アダプター及びこれを用いた水中ポンプ装置に関するものである。
【背景技術】
【０００２】
一般に、土木工事や建設工事の排水作業等には、例えば、縦型の水中ポンプが使用されている（例えば、特許文献１、特許文献２、特許文献３及び特許文献４参照）。
【０００３】
即ち、前記水中ポンプは、図示していないが、縦向きのモータ軸を有するモータと、モータの下部に取り付けられ、モータ軸により回転される羽根車をポンプケーシング内に回転自在に収容して成るポンプと、モータの周囲に形成され、ポンプの吐出口に連結された冷却用のジャケットと、ジャケットの出口に接続され、排水用ホースが接続されるホースカップリングと、モータの下部に形成され、潤滑油が封入される潤滑油室と、潤滑油室を貫通するモータのモータ軸を軸封する軸封装置等を備えている。
【０００４】
而して、前記水中ポンプにおいては、ポンプを水中に浸漬させた状態でモータを起動させると、ポンプの羽根車がモータにより回転され、ポンプケーシングの底面に形成した吸引口からポンプケーシング内に水が吸引され、ポンプケーシングに形成した吐出口から吸引された水が吐出されるようになっている。また、ポンプの吐出口から吐出された水は、モータの周囲に形成した冷却用のジャケットを通ってモータを冷却した後、排水用ホースにより外部へ排出されるようになっている。
【０００５】
ところで、土木工事や建設工事の排水作業等に用いる水中ポンプにおいては、揚程高さが１０ｍ以上になる場合には、電圧が２００Ｖの大出力のモータを備えた水中ポンプを使用するようにしている。
【０００６】
しかし、小規模又は短期間の工事現場では、２００Ｖの電源を確保することが困難であり、大出力のモータを備えた水中ポンプを使用することができず、排水作業を行えないと言う問題が発生している。
【先行技術文献】
【特許文献】
【０００７】
【特許文献１】特開２００２−２５７０７７号公報
【特許文献２】特開２００５−２２０８９５号公報
【特許文献３】特開２００７−３１５３６７号公報
【特許文献４】実用新案登録第３１５９０８５号公報
【考案の概要】
【考案が解決しようとする課題】
【０００８】
本考案は、このような問題点に鑑みて為されたものであり、その目的は、２００Ｖの電源を確保し難い工事現場等であっても、電圧が１００Ｖの小型の水中ポンプを上下方向に連結して高さ１０ｍ以上の高い揚程が得られるようにした水中ポンプ用連結アダプター及びこれを用いた水中ポンプ装置を提供することにある。
【課題を解決するための手段】
【０００９】
上記目的を達成するために、本考案の請求項１に記載の水中ポンプ用連結アダプターは、複数台の水中ポンプを上下方向に所定の間隔を隔てて直列状に連結するのに用いる水中ポンプ用連結アダプターであって、前記水中ポンプ用連結アダプターは、水中ポンプが支持載置される支持フレームと、支持フレームに設けられ、下流側端部が支持フレーム上に支持載置された水中ポンプの吸引口に接続される吸込管と、吸込管の上流側端部に設けられ、支持フレームの下方位置に配置される他の水中ポンプの吐出口側に接続される継手部材と、を少なくも備えていることに特徴がある。
【００１０】
本考案の請求項２に記載の水中ポンプ用連結アダプターは、請求項１に記載の水中ポンプ用連結アダプターにおいて、前記吸込管に、吸込管内に侵入した空気を外部に排出する空気抜き弁を設けたことに特徴がある。
【００１１】
本考案の請求項３に記載の水中ポンプ用連結アダプターは、請求項１又は請求項２に記載の水中ポンプ用連結アダプターにおいて、前記吸込管に、吸込管内の渇水状態を検知して支持フレーム上の水中ポンプの運転を停止する渇水センサーを設けたことに特徴がある。
【００１２】
本考案の請求項４に記載の水中ポンプ用連結アダプターは、請求項１〜請求項３の何れかに記載の水中ポンプ用連結アダプターにおいて、前記吸込管は、少なくともチーズ管を備え、当該チーズ管は、対向する二つの開口が上下に位置する状態で支持フレームの中心部側に設けられており、上側の開口端部に水中ポンプの吸引口が接続され、下側の開口端部に継手部材が接続され、残りの開口端部に止水用プラグが螺着されていることに特徴がある。
【００１３】
本考案の請求項５に記載の水中ポンプ用連結アダプターは、請求項４に記載の水中ポンプ用連結アダプターにおいて、前記チーズ管の止水用プラグに至る部分に、空気弁及び渇水センサーをそれぞれ設けたことに特徴がある。
【００１４】
本考案の請求項６に記載の水中ポンプ用連結アダプターは、請求項１又は請求項４に記載の水中ポンプ用連結アダプターにおいて、前記継手部材をレバーカップリングの雄アダプターとしたことに特徴がある。
【００１５】
本考案の請求項７に記載の水中ポンプ装置は、請求項１に記載の水中ポンプ用連結アダプターと、水中ポンプ用連結アダプターの支持フレーム上に支持載置され、吸引口が水中ポンプ用連結アダプターの吸込管の下流側端部に接続された上位の水中ポンプと、水中ポンプ用連結アダプターの継手部材に接続された筒状のセンターカップリングと、支持フレームの下方位置に配置され、吐出口側が筒状のセンターカップリングに接続された下位の水中ポンプと、を少なくとも備えていることに特徴がある。
【００１６】
本考案の請求項８に記載の水中ポンプ装置は、請求項７に記載の水中ポンプ装置において、前記筒状のセンターカップリングに、筒状のセンターカップリング内に侵入した空気を外部に排出する空気抜き弁を設けたことに特徴がある。
【００１７】
本考案の請求項９に記載の水中ポンプ装置は、請求項７又は請求項８に記載の水中ポンプ装置において、前記筒状のセンターカップリングに、筒状のセンターカップリング内の渇水状態を検知して支持フレーム上の水中ポンプの運転を停止する渇水センサーを設けたことに特徴がある。
【００１８】
本考案の請求項１０に記載の水中ポンプ装置は、請求項７〜請求項９の何れかに記載の水中ポンプ装置において、前記筒状のセンターカップリングは、水中ポンプ用連結アダプターの継手部材に着脱自在に接続される継手部材を備えていることに特徴がある。
【００１９】
本考案の請求項１１に記載の水中ポンプ装置は、請求項１０に記載の水中ポンプ装置において、前記筒状のセンターカップリングの継手部材をレバーカップリングの雌カプラーとしたことに特徴がある。
【００２０】
本考案の請求項１２に記載の水中ポンプ装置は、請求項７〜請求項１１の何れかに記載の水中ポンプ装置において、前記筒状のセンターカップリングの下流側端部は、重心がずれないように水中ポンプ用連結アダプターの中心側に折り曲げ形成されていることに特徴がある。
【００２１】
本考案の請求項１３に記載の水中ポンプ装置は、請求項２〜請求項６の何れかに記載の水中ポンプ用連結アダプターと、水中ポンプ用連結アダプターの支持フレーム上に支持載置され、吸引口が水中ポンプ用連結アダプターの吸込管の下流側端部に接続された上位の水中ポンプと、水中ポンプ用連結アダプターの継手部材に接続された筒状のセンターカップリングと、支持フレームの下方位置に配置され、吐出口側が筒状のセンターカップリングに接続された下位の水中ポンプと、を少なくとも備えていることに特徴がある。
【００２２】
本考案の請求項１４に記載の水中ポンプ装置は、請求項１３に記載の水中ポンプ装置において、前記筒状のセンターカップリングは、水中ポンプ用連結アダプターの継手部材に着脱自在に接続される継手部材を備えていることに特徴がある。
【００２３】
本考案の請求項１５に記載の水中ポンプ装置は、請求項８に記載の水中ポンプ装置において、前記筒状のセンターカップリングの継手部材をレバーカップリングの雌カプラーとしたことに特徴がある。
【００２４】
本考案の請求項１６に記載の水中ポンプ装置は、請求項１３〜請求項１５の何れかに記載の水中ポンプ装置において、前記筒状のセンターカップリングの下流側端部は、重心がずれないように水中ポンプ用連結アダプターの中心側に折り曲げ形成されていることに特徴がある。
【考案の効果】
【００２５】
本考案の水中ポンプ用連結アダプターは、水中ポンプが支持載置される支持フレームと、支持フレームに設けられ、下流側端部が支持フレーム上に支持載置された水中ポンプの吸引口に接続される吸込管と、吸込管の上流側端部に設けられ、支持フレームの下方位置に配置される他の水中ポンプの吐出口側に接続される継手部材と、を少なくとも備えているため、２台の水中ポンプを上下方向に所定の間隔を隔てて直列状に連結することができる。
その結果、本考案の水中ポンプ用連結アダプターは、当該水中ポンプ用連結アダプターを用いて水中ポンプを上下方向に連結した場合、電圧が１００Ｖの小型の水中ポンプであっても、揚程高さを大きくすることができ、電圧が２００Ｖの大出力のモータを備えた水中ポンプと同等の性能が得られることになり、２００Ｖの電源を確保し難い工事現場等でも、複数台の小型の水中ポンプを用いて排水作業等を確実且つ良好に行うことができる。
【００２６】
また、本考案の水中ポンプ用連結アダプターは、当該水中ポンプ用連結アダプターを複数用いることによって、３台以上の小型の水中ポンプを上下方向に所定の間隔を隔てて直列状に連結することができるため、揚程高さをより一層大きくすることができる。
【００２７】
更に、本考案の水中ポンプ用連結アダプターは、水中ポンプ用連結アダプターの数に応じて小型の水中ポンプを２台、３台又は４台以上直列状に連結することができるため、使用者の用途に合わせて使用することができ、至極便利である。
【００２８】
更に、本考案の水中ポンプ用連結アダプターは、吸込管に空気抜き弁を設けているため、吸込管内及び水中ポンプのポンプケーシング内の空気溜まりを回避することができ、水中ポンプの性能が低下するのを防止することができる。
【００２９】
更に、本考案の水中ポンプ用連結アダプターは、吸込管に渇水状態を検知して支持フレーム上の水中ポンプの運転を停止する渇水センサーを設けているため、渇水時における水中ポンプのモータの焼損を防止することができる。
【００３０】
更に、本考案の水中ポンプ用連結アダプターは、吸込管に設けた継手部材をレバーカップリングの雄アダプターとしているため、水中ポンプ用連結アダプターの下方位置に配置される水中ポンプとの接続を簡単且つ容易に行うことができる。
【００３１】
更に、本考案の水中ポンプ用連結アダプターは、既存の水中ポンプに装着することができるので、水中ポンプ用連結アダプターを取り外すことによって、水中ポンプを既存製品に復元することもできる。
【００３２】
本考案の水中ポンプ装置は、水中ポンプ用連結アダプターと、水中ポンプ用連結アダプターの支持フレーム上に支持載置され、吸引口が水中ポンプ用連結アダプターの吸込管の下流側端部に接続された上位の水中ポンプと、水中ポンプ用連結アダプターの継手部材に接続された筒状のセンターカップリングと、支持フレームの下方位置に配置され、吐出口側が筒状のセンターカップリングに接続された下位の水中ポンプと、を少なくとも備えているため、少なくとも２台の水中ポンプが上下方向に所定の間隔を隔てて直列状に連結された格好になっている。
その結果、本考案の水中ポンプ装置は、電圧が１００Ｖの小型の水中ポンプであっても、揚程高さを大きくすることができ、電圧が２００Ｖの大出力のモータを備えた水中ポンプと同等の性能が得られることになり、２００Ｖの電源を確保し難い工事現場等でも、複数台の小型の水中ポンプを用いて排水作業等を確実且つ良好に行うことができる。
【００３３】
また、本考案の水中ポンプ装置は、筒状のセンターカップリングが水中ポンプ用連結アダプターの継手部材に着脱自在に接続される継手部材を備え、当該継手部材をレバーカップリングの雌カプラーとしているため、水中ポンプと水中ポンプ用連結アダプターとの連結を簡単且つ容易に行うことができる。
【００３４】
更に、本考案の水中ポンプ装置は、筒状のセンターカップリングの下流側端部を、重心がずれないように水中ポンプ用連結アダプターの中心側に折り曲げ形成しているため、水中ポンプ装置自体のバランスが保たれることになり、クレーン等で吊り下げたり、或いは、水中に定置しても安定した姿勢を保つことができる。
【００３５】
更に、本考案の水中ポンプ装置は、筒状のセンターカップリングに空気抜き弁を設けているため、水中ポンプのポンプケーシング内の空気溜まりを回避することができ、水中ポンプの性能が低下するのを防止することができる。
【００３６】
更に、本考案の水中ポンプ装置は、筒状のセンターカップリングに渇水状態を検知して支持フレーム上の水中ポンプの運転を停止する渇水センサーを設けているため、渇水時における水中ポンプのモータの焼損を防止することができる。
【図面の簡単な説明】
【００３７】
【図１】本考案の一実施形態に係る水中ポンプ用連結アダプターを用いた水中ポンプ装置を示し、水中ポンプ用連結アダプターを用いて２台の水中ポンプを上下方向に所定の間隔を隔てて直列状に連結した状態の水中ポンプ装置の縦断面図である。
【図２】水中ポンプ用連結アダプターと水中ポンプを連結した状態の縦断面図である。
【図３】本考案の一実施形態に係る水中ポンプ用連結アダプターの一部を省略した斜視図である。
【図４】水中ポンプ用連結アダプターの縦断面図である。
【図５】水中ポンプ用連結アダプターの平面図である。
【図６】水中ポンプ用連結アダプターの底面図である。
【図７】二つの水中ポンプ用連結アダプターを用いて３台の水中ポンプを上下方向に所定の間隔を隔てて直列状に連結した状態の水中ポンプ装置の縦断面図である。
【図８】本考案の一実施形態に係る水中ポンプ用連結アダプターを用いた水中ポンプ装置の他の例を示し、水中ポンプ用連結アダプターを用いて２台の水中ポンプを上下方向に所定の間隔を隔てて直列状に連結した状態の水中ポンプ装置の縦断面図である。
【図９】図８に示す水中ポンプ装置の水中ポンプ用連結アダプターと上位の水中ポンプを連結した状態の縦断面図である。
【図１０】図９のＡ−Ａ線断面である。
【図１１】空気抜き弁及び渇水センサーを設けた筒状のセンターカップリングの要部の一部破断側面図である。
【考案を実施するための形態】
【００３８】
以下、本考案の一実施形態を図面に基づいて詳細に説明する。
図１は本考案の一実施形態に係る水中ポンプ用連結アダプター１を用いた水中ポンプ装置２を示し、当該水中ポンプ装置２は、土木工事や建設工事の排水作業等に用いられるものであり、一つの水中ポンプ用連結アダプター１を用いて電圧が１００Ｖの２台の小型の水中ポンプ３を上下方向に所定の間隔を隔てて直列状に連結したものである。
【００３９】
即ち、前記水中ポンプ装置２は、水中ポンプ用連結アダプター１と、水中ポンプ用連結アダプター１の支持フレーム５上に支持載置され、吸引口１９ａが水中ポンプ用連結アダプター１の吸込管６の下流側端部に接続された上位の水中ポンプ３と、水中ポンプ用連結アダプター１の継手部材７に接続された筒状のセンターカップリング４と、支持フレーム５の下方位置に配置され、吐出口側が筒状のセンターカップリング４に接続された下位の水中ポンプ３と、を備えており、電圧が１００Ｖの２台の小型の水中ポンプ３を上下方向に所定の間隔を隔てて直列状に連結し、高さが１０ｍ以上の高い揚程が得られるようにしたものである。
【００４０】
前記水中ポンプ用連結アダプター１は、図１及び図２に示す如く、水中ポンプ３が支持載置される支持フレーム５と、支持フレーム５に設けられ、下流側端部が支持フレーム５上に支持載置された水中ポンプ３の吸引口１９ａに接続される吸込管６と、吸込管６の上流側端部に設けられ、支持フレーム５の下方位置に配置される下位の水中ポンプ３の吐出口側に接続される継手部材７と、吸込管６に設けられ、吸込管６内に侵入した空気を外部に排出する空気抜き弁８と、吸込管６に設けられ、吸込管６内の渇水状態を検知して支持フレーム５上の水中ポンプ３の運転を停止する渇水センサー９と、を備えている。
【００４１】
具体的には、前記支持フレーム５は、図３〜図６に示す如く、中心部側に開口１０ａを形成した金属板製の上部円板１０と、上部円板１０の下方位置に配置され、上部円板１０に対向する金属製の下部環状板１１と、上部円板１０と下部環状板１１との間に円周方向へ等角度毎に配置され、両端部が上部円板１０及び下部環状板１１にそれぞれ溶接により固定されて上部円板１０及び下部環状板１１を所定の間隔を隔てて連結固定する４本の金属製の連結棒１２と、を備えている。
【００４２】
また、支持フレーム５の上部円板１０の外周縁部には、吸込管６に設けた空気抜き弁８及び渇水センサー９と干渉しないように切欠き部１０ｂが設けられている。
【００４３】
更に、支持フレーム５の上部円板１０の外周縁部には、３つのアイボルト１３が円周方向に等角度ごと設けられている。これらのアイボルト１３は、水中ポンプ用連結アダプター１や水中ポンプ装置２をクレーン等で吊り下げるのに用いたり、或いは、水中ポンプ装置２を定置した状態でチェーン（図示省略）やワイヤーロープ（図示省略）等を連結して水中ポンプ装置２が倒れないように保持するのに用いたりするものである。
【００４４】
尚、上記の実施形態においては、支持フレーム５を上部円板１０と下部環状板１１と連結棒１２とから構成したが、支持フレーム５は、上記の実施形態に係るものに限定されるものではなく、上位の水中ポンプ３を支持載置することができると共に、支持フレーム５の下位に配置した下位の水中ポンプ３を吸込管６により上位の水中ポンプ３に接続することができれば、如何なる構造及び形状であっても良い。
【００４５】
前記吸込管６は、図２及び図４に示す如く、三つの開口を有し、対向する二つの開口が上下に位置する状態の金属製のチーズ管６ａと、チーズ管６ａの下側の開口端部に溶接により固定され、継手部材７が着脱自在に螺着される内周面に雌ネジを形成した筒状の金属製の継手用ソケット６ｂと、チーズ管６ａの分岐部分の開口端部に溶接により固定され、金属製の止水用プラグ１４が着脱自在に螺着される内周面に雌ネジを形成した筒状の金属製のプラグ用ソケット６ｃと、チーズ管６ａの止水用プラグ１４に至る部分に設けられ、空気抜き弁８が着脱自在に螺着される内周面に雌ネジを形成した筒状の金属製の弁用ソケット６ｄと、チーズ管６ａの止水用プラグ１４に至る部分に設けられ、ケーブルグランド１５を介して渇水センサー９が気密状に且つ着脱自在に取り付けられる内周面に雌ネジを形成した筒状の金属製のセンサー用ソケット６ｅと、を備えている。
【００４６】
そして、前記吸込管６は、チーズ管６ａの対向する二つの開口が上下に位置する状態で支持フレーム５内の中心部側に配置されており、チーズ管６ａの上側の開口が支持フレーム５の上部円板１０の中心部側に形成した開口１０ａに連通するように、チーズ管６ａの下流側端部（上端部）が支持フレーム５の上部円板１０に溶接により気密状に固定されている。
【００４７】
前記継手部材７は、図２及び図４に示す如く、吸込管６の下側の開口端部に設けた継手用ソケット６ｂに着脱自在に螺着されており、支持フレーム５の下方位置に配置される下位の水中ポンプ３の吐出口側に接続されるものである。この継手部材７には、雄アダプターと、カムレバーの操作により前記雄アダプターに着脱自在に連結される雌カプラーとから成る従来公知のレバーカップリング（レバー式管継手）の雄アダプターが使用されている。
【００４８】
前記空気抜き弁８は、吸込管６及び水中ポンプ３のポンプケーシング１９内に溜まる空気を自動的に排出するものであり、図２に示す如く、吸込管６の弁用ソケット６ｄに着脱自在に螺着されている。この空気抜き弁８には、例えば、従来公知のフロートタイプの空気抜き弁８が使用されている。
【００４９】
前記渇水センサー９は、吸込管６内の渇水状態を検知し、その検出信号を支持フレーム５上に支持載置された水中ポンプ３の制御部（図示省略）に送って水中ポンプ３の運転を停止するものであり、図２に示す如く、吸込管６のセンサー用ソケット６ｅにケーブルグランド１５を介して着脱自在に螺着されている。この渇水センサー９には、例えば、電極棒式の渇水センサー９が使用されている。また、この渇水センサー９は、渇水時に水中ポンプ３の運転を停止するために、予め水中ポンプ３に設けた水位検出器９′（図１参照）を併用している。
【００５０】
前記上位の水中ポンプ３及び下位の水中ポンプ３は、何れも同じ構造に構成されており、水位制御による自動運転機能を備えている。これらの水中ポンプ３には、例えば、電圧が単相１００Ｖ、モータ出力が４００Ｗ、全揚程が８ｍ、吐出量が０．１ｍ３／ｍｉｎの株式会社桜川ポンプ製作所製の静電容量式自動運転ポンプ（ＵＥＸ−４０Ｂ）が使用されている。
【００５１】
即ち、上位の水中ポンプ３及び下位の水中ポンプ３は、図２に示す如く、縦向きのモータ軸１６を有するモータ１７と、モータ１７の下部に取り付けられ、モータ軸１６により回転される羽根車１８をポンプケーシング１９内に回転自在に収容して成るポンプ２０と、モータ１７の周囲に形成され、ポンプ２０の吐出口１９ｂに連結された冷却用のジャケット２１と、ジャケット２１の出口に連結され、筒状のセンターカップリング４が接続される吐出管２２と、モータ１７の下部に形成され、潤滑油が封入される潤滑油室２３と、潤滑油室２３を貫通するモータ１７のモータ軸１６を軸封する軸封装置２４等を備えている。
【００５２】
また、前記モータ１７は、有底筒状のモータフレーム２５と、モータフレーム２５の内周面に固定されたステータ２６と、モータフレーム２５の上端部を閉塞するヘッドカバー２７と、モータフレーム２５に上部のベアリング２８及び下部のベアリング２８を介して回転自在に支持された縦向きのモータ軸１６と、モータ軸１６に取り付けたロータ２９等を備えており、モータフレーム２５内に絶縁油を封入しない所謂乾式モータに構成されている。
【００５３】
更に、前記ポンプ２０は、吸引口１９ａ及び吐出口１９ｂを有し、ケーシング１９′及びケーシングカバー１９″から成るポンプケーシング１９と、モータ１７のモータ軸１６の下端部に取り付けられ、ポンプケーシング１９内に回転自在に収容された羽根車１８とを備えており、モータ１７のモータフレーム２５の下端部に取り付け固定されている。このとき、ポンプケーシング１９の上向き姿勢の吐出口１９ｂと冷却用のジャケット２１とが連通接続されるようになっている。
【００５４】
尚、図２において、３０はケーブル、３１はハンドル、３２はコンデンサ、３３はリレーセット、３４はオートカット（モータ保護装置）である。
【００５５】
そして、上位の水中ポンプ３は、図２に示す如く、支持フレーム５の上部円板１０に支持載置されて複数本のスタンドボルト４１により支持フレーム５上に縦向き姿勢で支持固定されており、ポンプ２０の吸引口１９ａが支持フレーム５の上部円板１０に形成した開口１０ａを通して吸込管６の下流側端部に連通状に接続された格好になっている。
【００５６】
一方、下位の水中ポンプ３は、図１に示す如く、上位の水中ポンプ３を支持載置した支持フレーム５の下方位置に配置されており、下位の水中ポンプ３の吐出口側（吐出管２２の出口側）が筒状のセンターカップリング４を介して水中ポンプ用連結アダプター１の継手部材７に接続されている。
【００５７】
また、下位の水中ポンプ３の下端部には、下位の水中ポンプ３を水中において縦向き姿勢で支持するためのスタンド３５が取り付けられている。
【００５８】
前記スタンド３５は、図１に示す如く、水中ポンプ用連結アダプター１と同様構造に構成されており、中心側に下位の水中ポンプ３の吸引口１９ａに連通状に接続される開口３６ａを形成した金属板製の支持円板３６と、支持円板の３６の下方位置に配置され、支持円板３６に対向する金属製の環状板３７と、支持円板３６と環状板３７との間に円周方向へ等角度毎に配置され、両端部が支持円板３６及び環状板３７にそれぞれ溶接により固定されて支持円板３６及び環状板３７を所定の間隔を隔てて連結固定する複数本の金属製の連結棒３８と、支持円板３６に円周方向に等角度ごと設けた吊り下げ用又は転倒防止用のアイボルト１３と、を備えている。
【００５９】
而して、前記上位の水中ポンプ３及び下位の水中ポンプ３においては、何れも水中ポンプ３を水中に浸漬させた状態でモータ１７を起動させると、ポンプ２０の羽根車１８がモータ１７により回転され、ポンプケーシング１９の底面に形成した吸引口１９ａからポンプケーシング１９内に水が吸引され、ポンプケーシング１９に形成した吐出口１９ｂから吸引された水が吐出されるようになっている。また、ポンプ２０の吐出口１９ｂから吐出された水は、モータ１７の周囲に形成した冷却用のジャケット２１を通ってモータ１７を冷却した後、吐出管２２を通って外部へ排出されるようになっている。
【００６０】
尚、上記の実施形態においては、上位の水中ポンプ３及び下位の水中ポンプ３に株式会社桜川ポンプ製作所製の静電容量式自動運転ポンプを使用したが、上位の水中ポンプ３及び下位の水中ポンプ３は、上記の実施形態に係るものに限定されるものではなく、小型の水中ポンプ３であって水中ポンプ用連結アダプター１やスタンド３５に支持載置されて筒状のセンターカップリング４を接続することができれば、如何なる構造及び形状であっても良い。
【００６１】
前記筒状のセンターカップリング４は、水中ポンプ用連結アダプター１の継手部材７と下位の水中ポンプ３とを接続したり、或いは、上位の水中ポンプ３と排水用ホース（図示省略）とを接続したりするものである。
【００６２】
即ち、筒状のセンターカップリング４は、図１及び図２に示す如く、金属製のパイプ部材４ａと、パイプ部材４ａの下端部に設けられ、水中ポンプ３の吐出管２２に固定ボルト３９により接続固定されるフランジ４ｂと、パイプ部材４ａの上端部に溶接により固定され、内周面に雌ネジを形成した筒状の金属製のソケット４ｃと、ソケット４ｃに着脱自在に螺着され、水中ポンプ用連結アダプター１の継手部材７又は排水用ホース（図示省略）の基端部に設けた継手部材（図示省略）に接続される継手部材４０とを備えている。
【００６３】
また、筒状のセンターカップリング４の下流側端部は、重心がずれないように水中ポンプ用連結アダプター１の中心側に折り曲げ形成されている。
【００６４】
更に、筒状のセンターカップリング４の継手部材４０には、雄アダプターと、カムレバーの操作により前記雄アダプターに着脱自在に連結される雌カプラーとから成る従来公知のレバーカップリング（レバー式管継手）の雌カプラーが使用されている。
【００６５】
尚、上記の実施形態（図１）においては、一つの水中ポンプ用連結アダプター１及び一つのセンターカップリング４を用いて電圧が１００Ｖの２台の小型の水中ポンプ３を上下方向に所定の間隔を隔てて直列状に連結したが、他の実施形態においては、図７に示す如く、二つの水中ポンプ用連結アダプター１及び二つのセンターカップリング４を用いて電圧が１００Ｖの３台の小型の水中ポンプ３を上下方向に所定の間隔を隔てて直列状に連結するようにしても良い。
【００６６】
また、図示していなが、三つ以上の水中ポンプ用連結アダプター１及び三つ以上のセンターカップリング４を用いて４台以上の小型の水中ポンプ３を上下方向に所定の間隔を隔てて直列状に連結するようにしても良い。
【００６７】
次に、上述した水中ポンプ装置２を用いて高さが１０ｍを超える揚水を行う場合について説明する。
【００６８】
例えば、２台の水中ポンプ３を直列状に連結した水中ポンプ装置２においては、先ず、上位の水中ポンプ３に接続している筒状のセンターカップリング４に排水用ホース（図示省略）を接続し、少なくとも下位の水中ポンプ３が水中に浸漬する状態で水中ポンプ装置２を起立姿勢に保持する。このとき、起立姿勢の水中ポンプ装置２が倒れないように、水中ポンプ用連結アダプター１及びスタンド３５に設けたアイボルト１３に基端部が固定側部材（図示省略）に連結されたチェーン（図示省略）やワイヤーロープ（図示省略）の先端部を連結し、水中ポンプ装置２を起立姿勢に保持する。また、排水用ホース（図示省略）の下流側端部は、水中ポンプ装置２から１０ｍ以上高い位置にセットする。
【００６９】
次に、水中ポンプ装置２の各水中ポンプ３のモータ１７を起動させると、下位の水中ポンプ３の吸引口１９ａから水が吸引される。下位の水中ポンプ３に吸引された水は、下位の水中ポンプ３のポンプケーシング１９内、ジャケット２１及び吐出管２２内を通って筒状のセンターカップリング４内に流入し、筒状のセンターカップリング４を通って水中ポンプ用連結アダプター１の吸込管６に流入する。
【００７０】
そして、水中ポンプ用連結アダプター１の吸込管６に流入した水は、上位の水中ポンプ３の吸引口１９ａから吸引され、上位の水中ポンプ３のポンプケーシング１９内、ジャケット２１及び吐出管２２内を通って筒状のセンターカップリング４内に流入した後、排水用ホース（図示省略）を通って高い位置へ排水される。
【００７１】
また、高さが２０ｍを越える程度の揚水を行う場合には、二つの水中ポンプ用連結アダプター１及び二つのセンターカップリング４を用いて３台の水中ポンプ３を直列状に連結した水中ポンプ装置２（図７に示す水中ポンプ装置２）を使用する。
【００７２】
下記の表１は、電圧が単相１００Ｖ、モータ出力が４００Ｗ、全揚程が８ｍ、吐出量が０．１ｍ３／ｍｉｎの小型の水中ポンプ３を単体で使用した場合、前記小型の水中ポンプ３と同じ性能の水中ポンプ３を水中ポンプ用連結アダプター１により２台直列状に連結して成る水中ポンプ装置２を使用した場合、同じく前記水中ポンプ３と同じ性能の水中ポンプ３を二つの水中ポンプ用連結アダプター１により３台直列状に連結して成る水中ポンプ装置２を使用した場合の性能を表した表である。
【００７３】
【表１】
0003219306.tif 000003
【００７４】
表１からも明らかなように、小型の水中ポンプ３であっても、水中ポンプ用連結アダプター１を用いて直列状に２台又は３台連結することによって、高い揚程が得られることが判る。
【００７５】
このように、上述した水中ポンプ用連結アダプター１及びこれを用いた水中ポンプ装置２は、電圧が１００Ｖの小型の水中ポンプ３であっても、揚程高さを大きくすることができ、電圧が２００Ｖの大出力のモータを備えた水中ポンプと同等の性能が得られることになる。
【００７６】
また、水中ポンプ用連結アダプター１が空気抜き弁８付の吸込管６を備えているため、吸込管６内及び水中ポンプ３のポンプケーシング１９内の空気溜まりを回避することができ、水中ポンプ３の性能が低下するのを防止することができる。
【００７７】
更に、水中ポンプ用連結アダプター１が吸込管６内の渇水状態を検知して水中ポンプ３の運転を停止する渇水センサー９を備えているため、渇水時における水中ポンプ３のモータ１７の焼損を防止することができる。
【００７８】
更に、水中ポンプ用連結アダプター１には、既存の水中ポンプ３に装着することができるので、水中ポンプ用連結アダプター１を取り外すことによって、水中ポンプ３を既存製品に復元することもできる。
【００７９】
更に、筒状のセンターカップリング４の下流側端部を、重心がずれないように水中ポンプ用連結アダプター１の中心部側に折り曲げ形成しているため、複数台の水中ポンプ３を直列状に連結しても、水中ポンプ装置２自体のバランスが保たれることになり、クレーン等で吊り下げたり、或いは、水中に定置しても安定した姿勢を保つことができる。
【００８０】
図８〜図１１は本考案の一実施形態に係る水中ポンプ用連結アダプター１を用いた水中ポンプ装置２の他の例を示すものである。
【００８１】
即ち、前記水中ポンプ装置２は、水中ポンプ用連結アダプター１と、水中ポンプ用連結アダプター１の支持フレーム５上に支持載置され、吸引口１９ａが水中ポンプ用連結アダプター１の吸込管６の下流側端部に接続された上位の水中ポンプ３と、水中ポンプ用連結アダプター１の継手部材７に接続された筒状のセンターカップリング４と、支持フレーム５の下方位置に配置され、吐出口側が筒状のセンターカップリング４に接続された下位の水中ポンプ３と、上位の水中ポンプ３の吐出管２２に接続された筒状のセンターカップリング４と、下位の水中ポンプ３の下端部に取り付けられ、下位の水中ポンプ３を水中において縦向き姿勢で支持するためのスタンド３５と、を備えており、水中ポンプ用連結アダプター１を若干変えると共に、水中ポンプ用連結アダプター１の吸込管６に設けていた空気抜き弁８及び渇水センサー９を筒状のセンターカップリング４に設けたものである。
【００８２】
前記水中ポンプ用連結アダプター１は、図８及び図９に示す如く、水中ポンプ３が支持載置される支持フレーム５と、支持フレーム５に設けられ、下流側端部が支持フレーム５上に支持載置された水中ポンプ３の吸引口１９ａに接続される吸込管６と、吸込管６の上流側端部に設けられ、支持フレーム５の下方位置に配置される下位の水中ポンプ３の吐出口側に接続される継手部材７と、を備えており、吸込管６にチーズ管に替えて金属製の短管を使用して支持フレーム５の高さを低くすると共に、支持フレーム５の上部円板１０の切欠き部１０ｂを省略したものである。図２〜図６に示す水中ポンプ用連結アダプター１と同じ部位・部材には、同一の参照番号を付し、その詳細な説明を省略する。
【００８３】
前記筒状のセンターカップリング４は、図９〜図１１に示す如く、金属製のパイプ部材４ａと、パイプ部材４ａの下端部に設けられ、水中ポンプ３の吐出管２２に固定ボルト３９により接続固定されるフランジ４ｂと、パイプ部材４ａの上端部に溶接により固定され、内周面に雌ネジを形成した筒状の金属製のソケット４ｃと、ソケット４ｃに着脱自在に螺着され、水中ポンプ用連結アダプター１の継手部材７又は排水用ホース（図示省略）の基端部に設けた継手部材（図示省略）に接続される継手部材４０と、パイプ部材４ａに設けられ、空気抜き弁８が着脱自在に螺着される内周面に雌ネジを形成した筒状の金属製の弁用ソケット４ｄと、パイプ部材４ａに設けられ、ケーブルグランド１５を介して渇水センサー９が気密状に且つ着脱自在に取り付けられる内周面に雌ネジを形成した筒状の金属製のセンサー用ソケット４ｅと、を備えており、前記弁用ソケット４ｄ及びセンサー用ソケット４ｅに空気抜き弁８及び水センサー９がそれぞれ取り付けられている。
【００８４】
尚、上位の水中ポンプ４、下位の水中ポンプ４及びスタンド３５は、図１及び図２に示すものと同じ構造に構成されているため、ここではその詳細な説明を省略する。
【００８５】
図８〜図１１に示す水中ポンプ装置２も、図１〜図７に示す水中ポンプ装置２と同様の作用効果を奏することができる。
【符号の説明】
【００８６】
１は水中ポンプ用連結アダプター
２は水中ポンプ装置
３は水中ポンプ
４は筒状のセンターカップリング
５は支持フレーム
６は吸込管
６ａはチーズ管
７は継手部材（雄アダプター）
８は空気抜き弁
９は渇水センサー
１４は止水用プラグ
１９ａは吸引口
１９ｂは吐出口
４０は継手部材（雌カプラー）
【図１】
0003219306.tif 000004
【図２】
0003219306.tif 000005
【図３】
0003219306.tif 000006
【図４】
0003219306.tif 000007
【図５】
0003219306.tif 000008
【図６】
0003219306.tif 000009
【図７】
0003219306.tif 000010
【図８】
0003219306.tif 000011
【図９】
0003219306.tif 000012
【図１０】
0003219306.tif 000013
【図１１】
0003219306.tif 000014